(57)【要約】【課題】散水面積を大きくできる灌水チューブおよび灌水チューブの製造方法を提供する。【解決手段】灌水チューブ１１において、厚さが０．４〜１．０ｍｍのチューブ１３の少なくとも上面側に、該チューブ１３の長手方向に沿って所定間隔で穿設される散水孔１５を有し、散水孔１５は、チューブ内面２７に開口する略円形状の流入口１７と、チューブ外面２９に開口する長円形状または楕円形状の噴出口１９と、を有し、噴出口１９の短軸ＴＳに対する長軸ＴＬの長さが１１０〜２００％で形成され、且つ流入口１７の平均直径に対する噴出口１９の短軸ＴＳの長さが９５〜２００％で形成されている。【選択図】  図１
2015084685.tif 000002
【特許請求の範囲】
【請求項１】
厚さが０．４〜１．０ｍｍのチューブの少なくとも上面側に、該チューブの長手方向に沿って所定間隔で穿設される散水孔を有し、
前記散水孔は、
前記チューブ内面に開口する略円形状の流入口と、
前記チューブ外面に開口する長円形状または楕円形状の噴出口と、
を有し、
該噴出口の短軸に対する長軸の長さが１１０〜２００％で形成され、且つ前記流入口の平均直径に対する前記噴出口の短軸の長さが９５〜２００％で形成されていることを特徴とする灌水チューブ。
【請求項２】
前記チューブの幅方向の両端部を溶着して、前記上面側と下面側との側縁に耳部を形成することを特徴とする請求項１記載の灌水チューブ。
【請求項３】
チューブの外表面からレーザ光を複数回、照射して、噴出口が長円形状または楕円形状となるように穿孔する穿孔工程と、
前記穿孔工程の後、幅方向の両端部をヒートシールして耳部を形成する縁部溶着工程と、
を含むことを特徴とする灌水チューブの製造方法。
【請求項４】
前記穿孔工程は、短径：長径の比が１：１．１〜１：１．５とされる略楕円形状のレーザ光を複数回、照射することを特徴とする請求項３記載の灌水チューブの製造方法。
【請求項５】
前記穿孔工程は、短径：長径の比が１：１．１〜１：１．５とされる略楕円形状のレーザ光を複数回、照射して長円形状または楕円形状の凹部を形成後、さらに該凹部にレーザ光を照射し穿孔することを特徴とする請求項３記載の灌水チューブの製造方法。
【発明の詳細な説明】
【技術分野】
【０００１】
本発明は、灌水チューブおよび灌水チューブの製造方法に関する。
【背景技術】
【０００２】
野菜、果物、花等の植物を栽培する際には、作業の省力化を図るために、チューブに一定間隔で孔が穿設された灌水用チューブを用いて灌水することがある。灌水用チューブは、例えば、押出成形により作製したチューブを押し潰してテープ状とし、一定間隔で針を片面側から突き刺して穿孔する。
【０００３】
ところが、このように針を用いて穿孔すると、一方の面から他方の面まで孔が貫通してしまう。そこで、チューブの内部にレーザ光遮蔽用中子を配置して、片面側からレーザ光を照射し、チューブを穿孔することにより、片面側のみに散水孔を穿孔した灌水チューブもある。
【０００４】
さらに、チューブの少なくとも片面をチューブ内部が拡がるように外側から吸引し、チューブにレーザ光を所定の間隔で照射して穿孔することで、中子を配置せず、チューブの一方の面から他方の面への貫通を簡便に防止して得られる灌水用チューブもある（特許文献１参照）。
【先行技術文献】
【特許文献】
【０００５】
【特許文献１】特開２０１１−１７７７７７号公報
【発明の概要】
【発明が解決しようとする課題】
【０００６】
しかしながら、上記の灌水チューブは、柔らかいチューブ材を使用して、低圧力で灌水するのが一般的である。このため、散水孔から噴出される水は棒状であり、飛距離が短く、散水範囲が狭い、すなわち散水面積が小さい。そのため灌水チューブを多数並べて対応するなどしていた。このような事情から、高圧な水を用いて、散水範囲を広くできる、すなわち、散水面積を大きくできる灌水チューブの開発要請がある。
【０００７】
本発明は上記状況に鑑みてなされたもので、その目的は、散水面積を大きくできる灌水チューブおよび灌水チューブの製造方法を提供することにある。
【課題を解決するための手段】
【０００８】
次に、上記の課題を解決するための手段を、実施の形態に対応する図面を参照して説明する。
本発明の請求項１記載の灌水チューブ１１は、厚さが０．４〜１．０ｍｍのチューブ１３の少なくとも上面側に、該チューブ１３の長手方向に沿って所定間隔で穿設される散水孔１５を有し、
前記散水孔１５は、
前記チューブ内面２７に開口する略円形状の流入口１７と、
前記チューブ外面２９に開口する長円形状または楕円形状の噴出口１９と、
を有し、
該噴出口１９の短軸ＴＳに対する長軸ＴＬの長さが１１０〜２００％で形成され、且つ前記流入口１７の平均直径に対する前記噴出口１９の短軸ＴＳの長さが９５〜２００％で形成されていることを特徴とする。
【０００９】
この灌水チューブ１１では、散水孔１５の噴出口１９が、長軸ＴＬと短軸ＴＳとの長円または楕円形状として形成される。噴出口１９から出る水は、短軸ＴＳ側が長軸ＴＬ側よりも水流が絞られ、長軸ＴＬ側で拡がって噴出する。散水孔１５は、長軸ＴＬ側において散水孔内面が緩やかな傾斜面３３となることで、噴出する水の形状が棒状ではなくなり、偏平状になる。そして、短軸ＴＳ側で絞られることで、偏平状の水は、そのまま拡散するのではなく、拡がりが噴出口１９から所定距離のところで寄る（集まる）こととなって、その集中箇所で互いに衝突する。この衝突によって水は、拡散し分散する。これにより、一本の水流が噴出するのではなく、勢いよく拡散することとなって、広範囲への散水４５が可能となる。
【００１０】
本発明の請求項２記載の灌水チューブ１１は、請求項１記載の灌水チューブであって、前記チューブ１３の幅方向の両端部を溶着して、前記上面側と下面側との側縁に耳部２３を形成することを特徴とする。
【００１１】
この灌水チューブ１１では、チューブ１３をテープ状に潰した状態での長手方向の両側縁である幅方向の両端部が溶着されて耳部２３となる。耳部２３のある形状となることで、水圧がかかり管状となった際に、耳部２３が地面に当接してチューブ１３の転がりを防ぐ凸部となる。すなわち、灌水チューブ１１は、送水した際に激しく動いても、上下の反転が耳部２３によって防止される。これにより、散水孔１５を安定して上に向け続けることができる。
【００１２】
本発明の請求項３記載の灌水チューブの製造方法は、チューブ１３の外表面からレーザ光を複数回、照射して、噴出口１９が長円形状または楕円形状となるように穿孔する穿孔工程と、
前記穿孔工程の後、幅方向の両端部をヒートシールして耳部２３を形成する縁部溶着工程と、
を含むことを特徴とする。
【００１３】
この灌水チューブ１１の製造方法では、穿孔工程において、チューブ１３の外表面からレーザ光を複数回、例えば２〜３回照射して散水孔１５を穿設する。この照射により、噴出口１９の形状を長円形状または楕円形状となるよう形成し、例えば、噴出口１９の短軸ＴＳに対する長軸ＴＬの長さが１１０〜２００％で形成される。また、この散水孔１５の流入口１７は、その平均直径に対する前記噴出口１９の短軸ＴＳの長さが９５〜２００％で形成される。そして、散水孔１５の内面は、すり鉢状に上に向かって広がる錐状に形成される。
【００１４】
本発明の請求項４記載の灌水チューブの製造方法は、請求項３記載の灌水チューブの製造方法であって、
前記穿孔工程は、短径：長径の比が１：１．１〜１：１．５とされる略楕円形状のレーザ光を複数回、照射することを特徴とする。
【００１５】
この灌水チューブの製造方法では、穿孔工程において、短径：長径の比が１：１．１〜１：１．５とされる略楕円形状のレーザ光の照射を複数回行なうことで、噴出口１９の形状を長軸ＴＬと短軸ＴＳとを有する長円形状または楕円形状に穿孔する。すなわち長軸ＴＬの方向を長径とした略楕円形状のレーザ光照射を行なうことで、長円形状または楕円形状が形成しやすい。
【００１６】
本発明の請求項５記載の灌水チューブの製造方法は、請求項３記載の灌水チューブの製造方法であって、
前記穿孔工程は、短径：長径の比が１：１．１〜１：１．５とされる略楕円形状のレーザ光を複数回、照射して長円形状または楕円形状の凹部３５を形成後、さらに該凹部３５にレーザ光を照射し穿孔することを特徴とする。
【００１７】
この灌水チューブの製造方法では、穿孔工程において、短径：長径の比が１：１．１〜１：１．５とされる略楕円形状のレーザ光の照射を複数回行なうことで、噴出口１９の形状を長軸ＴＬと短軸ＴＳとを有する長円形状または楕円形状とし凹部３５を形成する。すなわち長軸ＴＬの方向を長径とした略楕円形状のレーザ光照射を行なうことで、長円形状または楕円形状の凹部３５が形成しやすくなる。そして、この凹部３５にさらにレーザ光を照射し、穿孔して、すなわち流入口１７を形成する。
【発明の効果】
【００１８】
本発明に係る請求項１記載の灌水チューブによれば、散水面積を大きくできる。このことから、少ない灌水チューブで広範囲に散水することができる。
【００１９】
本発明の係る請求項２記載の灌水チューブによれば、耳部が地面に当接してチューブの転がりを防ぐ凸部となり、送水した際に激しく動いても、上下の反転が防止される。これにより、散水孔を安定して上に向け続けることができる。
【００２０】
本発明に係る請求項３記載の灌水チューブの製造方法によれば、チューブ内面とチューブ外面とで開口形状の異なる散水孔を有したチューブを、容易に製造できる。
【００２１】
本発明に係る請求項４記載の灌水チューブの製造方法によれば、噴出口の形状を長円形状または楕円形状に形成しやすい。
【００２２】
本発明に係る請求項５記載の灌水チューブの製造方法によれば、噴出口を長円形状または楕円形状とし凹部が形成でき、さらに、この凹部に対し穿孔することで流入口が形成できる。
【図面の簡単な説明】
【００２３】
【図１】（ａ）は本発明の実施形態に係る灌水チューブの平面図、（ｂ）は図１の長手方向に直交する方向の断面図である。
【図２】（ａ）は散水孔の短軸に沿う断面図、（ｂ）は散水孔の長軸に沿う断面図である。
【図３】散水孔の平面図である。
【図４】灌水チューブを用いて散水されるハウスを灌水チューブの長手方向に沿う方向から見た動作説明図である。
【発明を実施するための形態】
【００２４】
以下、本発明に係る実施形態を図面を参照して説明する。
図１（ａ）は本発明の実施形態に係る灌水チューブの平面図、（ｂ）は図１の長手方向に直交する方向の断面図、図２（ａ）は散水孔の短軸に沿う断面図、（ｂ）は散水孔の長軸に沿う断面図、図３は散水孔の平面図、図４は灌水チューブを用いて散水されるハウスを灌水チューブの長手方向に沿う方向から見た動作説明図である。
本実施形態に係る灌水チューブ１１は、チューブ１３と、散水孔１５と、流入口１７と、噴出口１９と、を有する。
【００２５】
チューブ１３は、テープ状に潰され、例えば上面側と下面側とで一対となるチューブ材２１が対面状態となる。このチューブ１３は、テープ状に潰された状態で巻き取られ、また送水されるされることで管状になる。なお、チューブ１３は、長手方向の両側縁である幅方向の両端部が溶着されて上面側と下面側との側縁に耳部２３が形成される。耳部２３のある形状となることで、水圧がかかると管状になり、耳部２３が連続したヒレ形状になる。耳部２３は、地面に当接してチューブ１３の転がりを防ぐ。すなわち、灌水チューブ１１は、送水した際に激しく動いても、上下の反転が耳部２３によって防止される。これにより、散水孔１５を安定して上に向け続けることができる。耳部２３の幅は４〜１０ｍｍであることが好ましい。耳部２３の幅は４ｍｍ以上であれば、灌水チューブ１１の上下反転をより防止できる。１０ｍｍを超えると、灌水チューブ１１において水が通らない部分が多くなる。
【００２６】
このようにチューブ１３は、上面側のチューブ材２１に散水孔１５が穿設されて、下面側となるチューブ材２１の下面には、外表面に複数の突条２５が長手方向に沿って形成される。この突条２５は、チューブ自体の転がり止めになる。
【００２７】
チューブ１３の幅Ｗは４０〜７０ｍｍであることが好ましい。チューブ１３の幅が４０ｍｍ以上であれば、充分な量の水を供給でき、７０ｍｍ以下であれば、チューブ１３の配設が容易になる。
【００２８】
チューブ１３を構成するチューブ材２１は、熱可塑性樹脂材料よりなる。熱可塑性樹脂材料としては、例えば、低密度ポリエチレン、直鎖状低密度ポリエチレン、ポリプロピレン、ポリ塩化ビニルなどを用いることができる。また、熱可塑性樹脂材料には、必要に応じて、顔料、染料、可塑剤、安定剤、酸化防止剤、フィラー等が含まれてもよい。
【００２９】
チューブ材２１の厚さｔは、従来の０．１〜０．２ｍｍに対し、０．４〜１．０ｍｍ、好ましくは０．５〜０．８ｍｍとなる。散水距離は、従来の１〜２ｍに対し、本実施形態では１０ｍ程度となる。チューブ材２１は、厚みがあることで、図２に示す錐状の散水孔１５が形成可能となっている。
【００３０】
散水孔１５は、テープ状となったチューブ１３の一方の面側に少なくともチューブ長手方向に沿って所定間隔で複数穿設される。本実施形態において、散水孔１５は、図１に示すように、灌水チューブ１１の長さ方向に所定の間隔Ｐで略千鳥状に配置される。
【００３１】
散水孔１５の流入口１７は、チューブ材２１のチューブ内面２７に開口し略真円形状となる。略真円形状とは、流入口１７は、真円から若干変形した長円または楕円となってもよいことを意味する。若干の変形した長円または楕円とは、図３に示す短軸ＢＳの長さに対して長軸ＢＬの長さが１１０％までの長円または楕円である（ＢＳ≦ＢＬ）。
【００３２】
散水孔１５の噴出口１９は、流入口１７よりも開口面積が大きく形成される。噴出口１９は、チューブ材２１のチューブ外面２９に開口する。噴出口１９は、流入口１７と同一中心の長円形状または楕円形状となる。噴出口１９は、流入口１７との中心を結ぶ線が、チューブ材２１の厚さｔ方向となるようにして形成される。噴出口１９は、短軸ＴＳに対する長軸ＴＬの長さが１１０〜２００％、好ましくは１１５〜１５０％で形成され（ＴＳ＜ＴＬ）、且つ流入口１７の平均直径に対する短軸ＴＳの長さが９５〜２００％、本実施形態では短軸ＢＳに対する短軸ＴＳの長さが１００〜２００％、好ましくは１２５〜１８０％で形成される（ＢＳ＜ＴＳ）。噴出口１９と流入口１７とは、短軸ＴＳと短軸ＢＳ、長軸ＴＬと長軸ＢＬが重なる。
ここで、短軸ＴＳに対する長軸ＴＬの長さが１１０％未満では、水流の偏平、衝突、拡散が少なくなり、短軸ＴＳに対する長軸ＴＬの長さが２００％超は、レーザー光による散水孔１５の加工の均一性が損なわれてしまう。また、短軸ＢＳに対する短縮ＴＳの長さが９５％未満では、加工がやや困難となり、短軸ＢＳに対する短軸ＴＳの長さが２００％を超えると水流の偏平が少なくなる。
【００３３】
噴出口１９の開口周縁は、レーザ成形による盛り上がり部３１となる。レーザによる熱で素材が溶融し、盛り上がる。
【００３４】
このように、散水孔１５は、噴出口１９が長円または楕円となり、流入口１７が若干の変形した長円または楕円、あるいは略真円となって偏平な錐状となる。そして、散水孔１５は、流入口１７の短軸ＢＳを基準に、それぞれの孔形状が決まるように寸法設定がなされる。その結果、散水孔１５の内面は、扁平なすり鉢形状となる。内面の傾斜面３３は、短軸ＴＳ方向に比べ、長軸ＴＬ方向が緩やかな傾斜面３３となる。
【００３５】
次に、灌水チューブ１１の製造方法を説明する。
灌水チューブ１１の製造は、チューブ作製工程と、凹部形成工程と、穿孔工程と、縁部溶着工程と、巻取り工程とを含む。
【００３６】
具体的に、チューブ１３は、先ず、チューブ作製工程によって作られる。チューブ作製工程では、熱可塑性樹脂材料を押出機により押出形成することによって、チューブ１３を作製し、そのチューブ１３を畳んでテープ状チューブとする。より具体的には、熱可塑性樹脂材料を溶融し、環状のダイから吐出させることにより、チューブ１３を作製し、そのチューブ１３をピンチロールにより挟むことにより畳んでテープ状チューブを得る。
【００３７】
凹部形成工程は、チューブ材２１の外表面からレーザ光を複数回断続照射、或いは位置をずらして断続照射する。これにより、噴出口１９が長円または楕円形状の凹部３５を形成する。
【００３８】
穿孔工程では、凹部３５の中央に向けてレーザ光を照射して、凹部３５の底面側に流入口１７を穿孔する。チューブ材２１に、所定の間隔で、レーザ光をレーザ光発生器より照射して穿孔する。レーザ光発生器は、チューブ材２１の幅方向に往復動させて、千鳥状に穿孔する。
【００３９】
流入口１７、噴出口１９は、レーザ光によるレーザーマーカーとしての照射によって穿孔する。具体的には、ＣＯ2 レーザーマーカー（パナソニック製：商品名ＬＰ−４３０ＴＵ）を使用して、例えば３０Ｗのレーザ出力を１５％に設定し、スキャンスピード８ｍｍ／ｓ程度とする。このＣＯ2 レーザーマーカーは、種々の素材に対してレーザ光による熱加工で印字を行うものであり、本実施形態においては、「・（ドット）」の文字記号を印字することでチューブ材２１に対して穿孔を行う。そして、穿孔設定値としては、チューブ材２１とレーザ光発生器との距離は約１８５ｍｍとし、「・（ドット）」の大きさとされる文字幅と文字高との比、すなわちレーザ光の大きさを文字幅：文字高＝１：１．１〜１：１．５の短径：長径の比とされる略楕円形状、具体的には、文字幅＝０．２５〜０．４０ｍｍ、文字高＝０．３５〜０．５０ｍｍに設定される。この楕円形状レーザ光にて、チューブ材２１に対し複数回、例えば４〜５回の照射が行われ、穿孔が行われる。
【００４０】
この穿孔工程における具体的数値の３例を以下に示す。
［第１実施例］
上記レーザーマーカーを使用し、レーザーパワーを１５％に設定、長径である文字高（長手方向）＝０．３５ｍｍ、短径である文字幅（幅方向）＝０．２５ｍｍ、文字形は「・（ドット）」を選択。照射回数を５回とする。この例では、散水孔１５の噴出口１９は長軸ＴＬ＝０．５５ｍｍ，短軸ＴＳ＝０．３５ｍｍ、流入口１７は長軸ＢＬ＝０．４１ｍｍ，短軸ＢＳ＝０．３１ｍｍに形成された。
［第２実施例］
上記レーザーマーカーを使用し、レーザーパワーを２５％に設定、長径である文字高（長手方向）＝０．５０ｍｍ、短径である文字幅（幅方向）＝０．４０ｍｍ、文字形は「・（ドット）」を選択。照射回数を４回とする。この例では、散水孔１５の噴出口１９は長軸ＴＬ＝０．８３ｍｍ，短軸ＴＳ＝０．５８ｍｍ、流入口１７は長軸ＢＬ＝０．６０ｍｍ，短軸ＢＳ＝０．４６ｍｍに形成された。
［第３実施例］
上記レーザーマーカーを使用し、レーザーパワーを１５％に設定、長径である文字高（長手方向）＝０．３５ｍｍ、短径である文字幅（幅方向）＝０．３０ｍｍ、文字形は「・（ドット）」を選択。照射回数を５回とする。この例では、散水孔１５の噴出口１９は長軸ＴＬ＝０．５４ｍｍ，短軸ＴＳ＝０．４１ｍｍ、流入口１７は長軸ＢＬ＝０．４３ｍｍ，短軸ＢＳ＝０．３８ｍｍに形成された。
いずれの例も散水孔１５が楕円形に形成される。
なお、この穿孔工程においては、チューブ材２１へのレーザ光による穿孔形状を全て同一の形状として成形することには限定されず、所定個所及び所定数の散水孔１５を、所定の形状、例えば、噴出口１９の長軸ＴＬと短軸ＴＳの長さ比を変えたり、チューブ材２１の長さ方向に対する噴出口１９の長軸ＴＬの方向を変えるなどして穿孔される。
【００４１】
縁部溶着工程では、穿孔工程で得たテープ状チューブの幅方向の両端部をヒートシールして耳部２３を形成する。ヒートシール方法としては、テープ状チューブの幅方向の両端部を、ロールと、加熱したヒートシールバーとで挟む方法が適用される。ヒートシール温度は、使用する熱可塑性樹脂材料に応じて適宜選択されるが、例えば、２５０〜３００℃にされる。ヒートシール後、必要に応じて、テープ状チューブを冷却する。
【００４２】
縁部溶着工程の後、テープ状チューブは、巻取り工程によって巻き取られる。巻取り工程では、縁部溶着工程にてヒートシールした灌水チューブ１１を、巻取りロールによって巻き取って、ロール状にする。
【００４３】
灌水チューブ１１は、以下のように使用される。
図４に示すように、ビニールハウス３７には、長手方向に沿う複数の畝部分が、平行に作られている。灌水チューブ１１は、これら畝同士の間の低地に畝３９に沿って、散水孔側のチューブ材２１が上面側となるようにして配置される。灌水チューブ１１は、長手方向の一端に送水管が接続され、送水される。これにより、散水孔１５から水が噴出され、畝部分の作物４１に灌水が行われる。この際、散水孔１５からの水は、噴出口１９の短軸ＴＳで絞られることで、噴出口１９では短軸ＴＳ側が水の流れが速くなる。長軸ＴＬによって拡がった水流は、噴出口１９から所定の距離の位置で、球状に戻ろうとする表面張力等の作用によって互いが衝突する。この衝突点４３で水が拡散し、流れの勢いにより飛散して広範囲の散水４５となる。
【００４４】
次に、上記構成を有する灌水チューブ１１の作用を説明する。
灌水チューブ１１では、散水孔１５の噴出口１９が、長軸ＴＬと短軸ＴＳとの長円または楕円形状として形成される。噴出口１９から出る水は、短軸ＴＳ側が長軸ＴＬ側よりも水流が絞られ、長軸ＴＬ側で拡がって噴出する。散水孔１５は、長軸ＴＬ側において散水孔１５内面が緩やかな傾斜面３３となることで、噴出する水の形状が棒状ではなくなり、偏平状になる。そして、短軸ＴＳ側で絞られることで、偏平状の水は、そのまま拡散するのではなく、拡がりが噴出口１９から所定距離のところで寄る（集まる）こととなって、その集中箇所である衝突点４３で互いに衝突する。この衝突によって水は、拡散し分散する。これにより、一本の棒状の水流が噴出するのではなく、勢いよく拡散することとなって、広範囲への散水４５が可能となる。なお、各散水孔１５の形状を全て同一に穿孔形成せず、種々の長円または楕円形状、噴出口１９の長軸ＴＬの向き、或いは円形孔なども含めて形成する構成とすることで、噴出する水の形状が様々なものになり、散水の範囲を一定なものとせず散水範囲をより広くすることができる。
【００４５】
灌水チューブ１１の製造方法の作用を説明する。
灌水チューブ１１の製造方法では、凹部形成工程において、チューブ１３の長さ方向が噴出口１９の長軸ＴＬとされ、その長さ方向にレーザ光を２〜３回に分けて照射する。この凹部形成工程では、例えば０．２ｍｍの孔を２個所、ずらして照射する。この照射ではチューブ材２１を貫通させず、長円状に窪ませる。レーザ光による熱で、チューブ材２１が溶融し、且つ昇華し、ガスとなり、凹部３５が形成される。これにより、噴出口１９が、先に形成される。
【００４６】
溶融したチューブ材２１は、噴出口１９の開口周囲が盛り上がって残る。この盛り上がり部３１は、噴出口１９の補強としても作用する。穿孔工程では、やや細い径のレーザ光を、凹部３５の中心に向けて照射する。凹部形成工程時に比べてチューブ材２１の厚みが小さくなっており、短時間で凹部３５の中央を貫通して穿孔される。この穿孔が、流入口１７となる。このように、凹部形成工程および穿孔工程にてレーザ光を段階的に照射することで、散水孔１５の内面は、すり鉢状に上に向かって広がる錐状に形成される。
【００４７】
また、上述した凹部３５を形成させずに、レーザ光の照射を複数回行い、穿孔させることとしてもよく、すなわち、チューブ１３の外表面からレーザ光を複数回照射して、噴出口１９が長円形状または楕円形状となるように穿孔させる。さらに、上述した例では、チューブ１３の長さ方向と噴出口１９の長軸ＴＬとを同方向として形成することとしたが、噴出口１９の長軸ＴＬの方向はいずれの方向でも良く、さらには、散水孔１５の位置についても、等間隔としなくても良い。これら散水孔１５の位置や噴出口１９の長軸ＴＬの向きを種々変えて形成することで、散水範囲をより広くすることが可能となる。
【００４８】
従って、本実施形態に係る灌水チューブ１１によれば、散水面積Ｓを大きくできる。
【００４９】
本実施形態に係る灌水チューブ１１の製造方法によれば、チューブ内面２７とチューブ外面２９とで開口形状の異なる散水孔１５を有したチューブ１３を、容易に製造できる。
【符号の説明】
【００５０】
１１…灌水チューブ
１３…チューブ
１５…散水孔
１７…流入口
１９…噴出口
２３…耳部
２７…チューブ内面
２９…チューブ外面
３５…凹部
ＴＬ、ＢＬ…長軸
ＴＳ、ＢＳ…短軸
【図１】
2015084685.tif 000003
【図２】
2015084685.tif 000004
【図３】
2015084685.tif 000005
【図４】
2015084685.tif 000006